(57)【要約】【課題】移動店舗でも、カード発行担当者のみが、カードを即時に発行できる。【解決手段】  制御端末は、認証機器へ、ユーザ認証要求を送信し、認証機器から、認証結果と端末ＩＤとを受信し、認証結果が、カード発行担当者本人であるというものである場合、データサーバへ、発行データを要求する発行データ要求と、この端末ＩＤとを送信し、データサーバから、発行データを受信すると、この発行データに基づいて、カードプリンタでカードを発行し、  認証機器は、制御端末から、ユーザ認証要求を受信すると、ユーザ認証を行い、制御端末へ、認証結果と、端末ＩＤとを送信し、  データサーバは、発行データと、端末ＩＤとを登録し、制御端末から、発行データ要求と、端末ＩＤとを受信して、この発行データ要求で要求される発行データと、この端末ＩＤとが登録されている場合、この発行データを制御端末へ送信するカード即時発行システム。【選択図】図１
2017010254.tif 000002
【特許請求の範囲】
【請求項１】
制御端末と、カードプリンタと、認証機器と、データサーバとを備え、制御端末と、カードプリンタとは店舗に設置され、認証機器はカード発行担当者に携帯され、制御端末とデータサーバとはネットワークを介して接続されるシステムであって、
制御端末は、認証機器へユーザ認証要求を送信する手段と、認証機器から認証結果と端末ＩＤとを受信し、認証結果がカード発行担当者本人であるというものである場合、データサーバへ発行データを要求する発行データ要求と、この端末ＩＤとを送信する手段と、データサーバから発行データを受信すると、この発行データに基づいてカードプリンタでカードを発行する手段とを有し、
認証機器は、制御端末からユーザ認証要求を受信するとユーザ認証を行う手段と、制御端末へ、認証結果と端末ＩＤとを送信する手段とを有し、
データサーバは、発行データと端末ＩＤとを登録する手段と、制御端末から、発行データ要求と端末ＩＤとを受信して、この発行データ要求で要求される発行データとこの端末ＩＤとが登録されている場合、この発行データを制御端末へ送信する手段とを有することを特徴とするカード即時発行システム。
【請求項２】
前記店舗は、移動店舗であることを特徴とするカード即時発行システム。
【請求項３】
制御端末と、カードプリンタと、認証機器と、データサーバとを備え、制御端末と、カードプリンタとは店舗に設置され、認証機器はカード発行担当者に携帯され、制御端末とデータサーバとはネットワークを介して接続されるシステムが実行する方法であって、
データサーバが、発行データと端末ＩＤとを登録する工程と、
制御端末が、認証機器へユーザ認証要求を送信する工程と、
認証機器が、制御端末からユーザ認証要求を受信すると、ユーザ認証を行う工程と、
認証機器が、制御端末へ認証結果と端末ＩＤとを送信する工程と、
制御端末が、認証機器から認証結果と端末ＩＤとを受信し、認証結果がカード発行担当者本人であるというものである場合、データサーバへ、発行データを要求する発行データ要求とこの端末ＩＤとを送信する手段と、
データサーバが、制御端末から発行データ要求と端末ＩＤとを受信して、この発行データ要求で要求される発行データとこの端末ＩＤとが登録されている場合、この発行データを制御端末へ送信する工程と、
制御端末が、データサーバから発行データを受信すると、この発行データに基づいてカードプリンタでカードを発行する工程と、
を含むことを特徴とするカード即時発行方法。
【請求項４】
前記店舗は、移動店舗であることを特徴とするカード即時発行方法。
【発明の詳細な説明】
【技術分野】
【０００１】
本発明は、カード即時発行システム及び方法に関する。
【背景技術】
【０００２】
従来から、店舗で、例えば、キャッシュカードやＥＴＣカード等のカードを、申し込まれてから即時に発行するカード即時発行システムが知られている（例えば特許文献１及び２参照）。
【０００３】
従来のカード即時発行システムには、図３に示すように、店舗１に制御端末１１とカードプリンタ１２とが設置されて接続され、データセンター２０に顧客データサーバ２１とデータサーバ２２とが設置されて接続され、制御端末１１とデータサーバ２２とがネットワーク３０を介して接続されるものがある。
【０００４】
この従来のカード即時発行システムでは、例えば、図４に示すように、データサーバ２２が発行データを顧客データサーバ２１から受信して登録し（Ｓ１）、カード発行担当者が、制御端末１１にログインし（Ｓ２）、カード発行手続きを実施し（Ｓ３）、制御端末１１はデータサーバ２２へ申し込まれたカードを発行するのに必要な発行データを要求する発行データ要求を送信し（Ｓ４）、データサーバ２２は制御端末１１へ発行データ要求で要求された発行データを送信し（Ｓ５）、制御端末１１は、発行データを受信し（Ｓ６）、カードプリンタ１２でカードを発行する（Ｓ７）カード発行処理が行われる。
【０００５】
ところで、自動車などの移動手段に設けられた移動型の店舗（以下、移動店舗とも云う）は、通常の店舗、すなわち建物に設けられた店舗と同等のセキュリティを担保することが難しい。
【０００６】
このため、店舗１が移動店舗の場合、外部の人間が頻繁に制御端末１１に近づく可能性があり、カード発行担当者が制御端末１１から離れているとき、この制御端末１がログインされた状態であれば、第三者が、制御端末１１を不正に操作して、意図されないカードの発行ができてしまう恐れがある。
【先行技術文献】
【特許文献】
【０００７】
【特許文献１】特開２０１４−２１１６８４号公報
【特許文献１】特許第４６０３８２５号公報
【発明の概要】
【発明が解決しようとする課題】
【０００８】
本発明は、このような事情を考慮してなされたもので、移動店舗でも、カード発行担当者のみが、カードを即時に発行できることを課題とする。
【課題を解決するための手段】
【０００９】
本発明において上記課題を解決するために、まず請求項１の発明では、
制御端末と、カードプリンタと、認証機器と、データサーバとを備え、制御端末と、カードプリンタとは店舗に設置され、認証機器はカード発行担当者に携帯され、制御端末とデータサーバとはネットワークを介して接続されるシステムであって、
制御端末は、認証機器へユーザ認証要求を送信する手段と、認証機器から認証結果と端末ＩＤとを受信し、認証結果がカード発行担当者本人であるというものである場合、データサーバへ発行データを要求する発行データ要求と、この端末ＩＤとを送信する手段と、データサーバから発行データを受信すると、この発行データに基づいてカードプリンタでカードを発行する手段とを有し、
認証機器は、制御端末からユーザ認証要求を受信するとユーザ認証を行う手段と、制御端末へ認証結果と端末ＩＤとを送信する手段とを有し、
データサーバは、発行データと端末ＩＤとを登録する手段と、制御端末から発行データ要求と端末ＩＤとを受信して、この発行データ要求で要求される発行データと、この端末ＩＤとが登録されている場合、この発行データを制御端末へ送信する手段とを有することを特徴とするカード即時発行システムとしたものである。
【００１０】
また請求項２の発明では、
前記店舗は、移動店舗であることを特徴とするカード即時発行システムとしたものである。
【００１１】
また請求項３の発明では、
制御端末と、カードプリンタと、認証機器と、データサーバとを備え、制御端末と、カードプリンタとは店舗に設置され、認証機器はカード発行担当者に携帯され、制御端末とデータサーバとはネットワークを介して接続されるシステムが実行する方法であって、
データサーバが、発行データと、端末ＩＤとを登録する工程と、
制御端末が、認証機器へユーザ認証要求を送信する工程と、
認証機器が、制御端末からユーザ認証要求を受信するとユーザ認証を行う工程と、
認証機器が、制御端末へ認証結果と端末ＩＤとを送信する工程と、
制御端末が、認証機器から認証結果と端末ＩＤとを受信し、認証結果がカード発行担当者本人であるというものである場合、データサーバへ発行データを要求する発行データ要求とこの端末ＩＤとを送信する手段と、
データサーバが、制御端末から発行データ要求と端末ＩＤとを受信して、この発行データ要求で要求される発行データと、この端末ＩＤとが登録されている場合、この発行データを制御端末へ送信する工程と、
制御端末が、データサーバから発行データを受信すると、この発行データに基づいてカードプリンタでカードを発行する工程と、
を含むことを特徴とするカード即時発行方法としたものである。
【００１２】
また請求項４の発明では、前記店舗は、移動店舗であることを特徴とするカード即時発行方法としたものである。
【発明の効果】
【００１３】
本発明は、データサーバに発行データが登録されていて、データサーバに端末ＩＤが登録されている認証機器を携帯し、カード発行担当者本人であるという認証結果が出た場合のみ、カードの発行が即時に行える。
【００１４】
従って、本発明は、移動店舗でも、カード発行担当者のみが、カードを即時に発行できるという効果がある。
【００１５】
また、本発明は、制御端末で発行データの閲覧及び編集を行わないので、発行データを秘匿できるという効果もある。
【図面の簡単な説明】
【００１６】
【図１】本発明のカード即時発行システムの構成例を示す図。
【図２】本発明のカード即時発行システムによるカード発行処理の流れの例を示すフローチャート。
【図３】従来のカード即時発行システムの構成例を示す図。
【図４】従来のカード即時発行システムによるカード発行処理の流れの例を示すフローチャート。
【発明を実施するための形態】
【００１７】
以下に、本発明の一実施形態を説明する。
【００１８】
本発明は、図１に示すように、制御端末１１と、カードプリンタ１２と、認証機器１３と、顧客データサーバ２１と、データサーバ２２とを備え、制御端末１１とカードプリンタ１２とは移動店舗１０に設置されて接続され、認証機器１３は、カード発行担当者に携帯され、無線通信で制御端末１１と接続され、顧客データサーバ２１とデータサーバ２２とはデータセンター２０に設置されて接続され、制御端末１１とデータサーバ２２とがネットワーク３０を介して接続されるカード即時発行システムである。
【００１９】
認証機器１３は、例えば、スマートフォン、携帯電話などの携帯可能な端末であって、記憶装置を備え、この記憶装置に端末ＩＤを記憶しており、この端末ＩＤは、認証機器１３を唯一に識別する情報である。
【００２０】
以下に、本発明のカード即時発行システムによるカード発行処理の流れの例を、図２のフローチャートに従って説明する。
【００２１】
Ｓ（ＳＴＥＰ）１；
データサーバ２２は、発行データと、認証機器１３の端末ＩＤとを、顧客データサーバ２１から受信して、データサーバ２２が備える記憶装置に登録して記憶する。
【００２２】
Ｓ（ＳＴＥＰ）２；
カード発行担当者は、制御端末１１にログインする。
【００２３】
Ｓ（ＳＴＥＰ）３；
カード発行担当者は、制御端末１１で、カード発行手続きを実施する。
【００２４】
Ｓ（ＳＴＥＰ）４；
制御端末１１は、認証機器１３へ、ユーザ認証要求を送信する。
【００２５】
Ｓ（ＳＴＥＰ）５；
認証機器１３は、制御端末１１から、ユーザ認証要求を受信すると、カード発行担当者に対して、ユーザ認証を行う。
【００２６】
このユーザ認証は、例えば、カード発行担当者に、ユーザＩＤ及びパスワードを入力させて、入力されたユーザＩＤ及びパスワードを、予め認証機器１３が備える記憶装置に記憶してあるユーザＩＤ及びパスワードと照合することによって、行っても良い。
【００２７】
Ｓ（ＳＴＥＰ）６；
認証機器１３は、認証機器１３が備える記憶装置から端末ＩＤを読み出して、制御端末
１１へ、認証結果と、この端末ＩＤとを送信する。
【００２８】
Ｓ（ＳＴＥＰ）７；
制御端末１１は、認証機器１３から、認証結果と端末ＩＤとを受信し、
認証結果が、カード発行担当者本人であるというものである場合、ＳＴＥＰ８に進み、
認証結果が、カード発行担当者本人でないというものである場合、ＳＴＥＰ１４に進む。
【００２９】
Ｓ（ＳＴＥＰ）８；
制御端末１１は、データサーバ２０へ、申し込まれたカードを発行するのに必要な発行データを要求する発行データ要求と、認証機器１３から受信した端末ＩＤとを送信する。
【００３０】
Ｓ（ＳＴＥＰ）９；
データサーバ２０は、制御端末１１から、発行データ要求と、端末ＩＤとを受信して、
制御端末１１から受信した発行データ要求で要求される発行データと、制御端末１１から受信した端末ＩＤとが、データサーバ２２が備える記憶装置に登録されて記憶している場合、ＳＴＥＰ１０に進み、
他方、制御端末１１から受信した発行データ要求で要求される発行データ、制御端末１１から受信した端末ＩＤのいずれか、或いは、双方が、データサーバ２２が備える記憶装置に登録されて記憶していない場合、ＳＴＥＰ１１に進む。
【００３１】
Ｓ（ＳＴＥＰ）１０；
データサーバ２０は、データサーバ２０が備える記憶装置から、制御端末１１から受信した発行データ要求で要求される発行データを読み出して、制御端末１１へ送信し、ＳＴＥＰ１２に進む。
【００３２】
Ｓ（ＳＴＥＰ）１１；
データサーバ２０は、カードが発行不能であることを送信する。
【００３３】
Ｓ（ＳＴＥＰ）１２；
制御端末１１は、データサーバ２０から、発行データを受信した場合、ＳＴＥＰ１３に進み、他方、データサーバ２０から、カードが発行不能であることを受信した場合、ＳＴＥＰ１４に進む。
【００３４】
Ｓ（ＳＴＥＰ）１３；
制御端末１１は、受信した発行データに基づいて、カードプリンタ１２でカードを発行し、ＥＮＤに進む。
【００３５】
Ｓ（ＳＴＥＰ）１４；
制御端末１１は、カードが発行不能であることを表示し、ＥＮＤに進む。
【符号の説明】
【００３６】
１…店舗
１０…移動店舗
１１…制御端末
１２…カードプリンタ
１３…認証機器
２０…データセンター
２１…顧客データサーバ
２２…データサーバ
３０…ネットワーク
【図１】
2017010254.tif 000003
【図２】
2017010254.tif 000004
【図３】
2017010254.tif 000005
【図４】
2017010254.tif 000006